(57)【要約】      （修正有）【課題】適切な条件で照明を付加することにより装飾機能を向上させる。【解決手段】光透過性樹脂よりなる基板（１８）を備え、基板（１８）は近位面と遠位面を有し、近位面には装飾層（２０）が施され、装飾層（２０）は近位面の表面に積層された半金属または半金属合金よりなり、装飾層（２０）は透明フロントカバー（２２）に覆われ、基板（１８）に光を当てる光源（１１）を備え、光源（１１）からの光は透明フロントカバー（２２）を通過する。メタリックな外観を、いかなる照明条件においても維持できるため、適切な条件で照明を付加することにより、その装飾機能が３−Ｄイメージを失わないようにしつつ改善される。【選択図】図２
2019048619.tif 000002
【特許請求の範囲】
【請求項１】
光拡散性樹脂よりなる基板（１８）を備え、該基板（１８）は近位面と遠位面とを有し、前記近位面には装飾層（２０）が設けられ、該装飾層（２０）は前記近位面の表面に積層された半金属または半金属の合金よりなり、
前記装飾層（２０）は、透明フロントカバー（２２）が覆っており、
前記基板（１８）に光を当てる光源（１１）をも備え、該光源（１１）からの光は前記透明フロントカバー（２２）を通過することを特徴とする車両用エンブレム（１０）。
【請求項２】
後方透明カバー（２４）をも備え、前記光源（１１）は前記後方透明カバー（２４）に配置されている、請求項１に記載の車両用エンブレム（１０）。
【請求項３】
前記装飾層（２０）は半透明である、請求項１に記載の車両用エンブレム（１０）。
【請求項４】
前記装飾層（２０）は不透明であって、前記光源（１１）からの光の通路としての間隙を残して、前記基板（１８）の近位面の一部にのみ施されている、請求項１に記載の車両用エンブレム（１０）。
【請求項５】
前記後方透明カバー（２４）は、前記基板（１８）の反対側に、前記光源（１１）からの光を反射させる光反射性コーティング（２５）を備える、請求項２に記載の車両用エンブレム（１０）。
【請求項６】
前記透明フロントカバー（２２）は、少なくとも１つのパッド（２６）を前記基板（１８）と接触する側の１部分以上に備える、請求項１に記載の車両用エンブレム（１０）。
【請求項７】
前記半金属または前記合金の金属は、ゲルマニウム、ホウ素、ケイ素、ヒ素、アルミニウム、ジルコニウム、チタニウム、ステンレス鋼、クロムアンチモンおよび／又はテルルから選択される、請求項１に記載の車両用エンブレム（１０）。
【請求項８】
先の請求項のいずれかに記載のエンブレム（１０）を備える車両（１４）であって、フロントグリルアセンブリ（１２）を備え、前記エンブレム（１０）は前記グリルアセンブリ（１２）内に配置されている、車両（１４）。
【発明の詳細な説明】
【技術分野】
【０００１】
本発明は、昼間は装飾的なメタリックイメージを示す一方、夜間は背面光でイメージを示す自動車用エンブレムに関する。
【背景技術】
【０００２】
本願と同一の出願人による、ＷＯ２０１２０６６４１７Ａ１は、無線透過性樹脂からなる基板と、前記基板の近位面に施された複数の半金属または半金属の合金（ケイ素、ゲルマニウム）層よりなる装飾層と、前記装飾層を覆う無線透過性樹脂とを備え、前記装飾層を覆う前記樹脂は装飾インクの上張り層を備えてなる、装飾的レーダエンブレムを開示している。しかしながら、このレドームにおいては、周辺光がないとメタリックな外観が失われる可能性がある。
【０００３】
そこで、本発明の目的は、以下に開示する利点を提供しつつ、この欠点を克服し、適切な条件で照明を付加することにより装飾機能を向上させることにある。
【発明の概要】
【０００４】
本発明に係る車両用エンブレムは、光拡散性樹脂よりなる基板を備え、該基板は近位面と遠位面とを有し、前記近位面には装飾層が設けられ、該装飾層は前記近位面の表面に積層された半金属または半金属合金よりなり、
前記装飾層は、透明フロントカバーが覆っており、
前記基板に光を当てる光源を備え、該光源からの光は前記透明フロントカバーを通過する。
【０００５】
好ましくは、本発明に係る車両用エンブレムは後方透明カバーを備え、該後方透明カバーへ前記光源を連結することが最も有効化する方法で、前記光源は前述の後方透明カバーに取り付けられる。このため、光線は車両前方に投光される前に、前記後方透明カバー本体全体の内部に支障なく伝播し得る。
【０００６】
二者択一の実施例によれば、前記装飾層は半透明であるか、或いは不透明であって前記光源からの光の通路としての間隙を残して、前記基板の近位面の一部にのみ施される。
【０００７】
有利には、前記後方透明カバーは、前記基板の反対側に、前記光源からの光を車両の前方方向に向けて反射させる光反射膜を備える。
【０００８】
好ましくは、前記透明フロントカバーは少なくとも１つのパッドか装飾物を前記基板と接触する側の１部分以上に備える。
【０００９】
前述の半金属または合金における半金属は、ゲルマニウム、ホウ素、ケイ素、ヒ素、アンチモンおよび／又はテルルから選択される点に注目しなければならない。
【００１０】
本発明は、また、前述したエンブレムを備える車両、フロントグリルアセンブリを備え、前記エンブレムが前記グリルアセンブリ内に配置される車両にも関連する。
【００１１】
本発明のエンブレムの技術的利点は、そのメタリックな外観がいかなる照明条件においても維持され、適切な条件で照明を付加することにより、その装飾機能が３−Ｄイメージを失わないようにしつつ改善されることにある。
【図面の簡単な説明】
【００１２】
【図１】本発明のエンブレムを備えた車両の斜視図。
【図２】実施形態１に係る本発明のエンブレムの部分断面図。
【図３】実施形態２に係る本発明のエンブレムの部分断面図。
【発明を実施するための形態】
【００１３】
まず第一に、本願明細書および添付の請求項において「半金属」が指すのは、以下の化合物、すなわちゲルマニウム、ホウ素、ケイ素、ヒ素、アンチモンおよび／又はテルルのいずれかである。
【００１４】
ＰＶＤマグネトロンスパッタリングは、基板上への半金属の成膜に用いられる方法である。スパッタリング成膜の性質により、装飾層の均一性が保証される。
【００１５】
ここで、図面を詳細に参照するが、図面全体を通して同様の数字は同様の構成要素を示すよう使用され、図１に示されるように、参照符号１０は一様に、自動車のグリルアッセンブリ１２内に取り付けるよう構成された、本発明により構築され、本発明を具現化する加飾エンブレムを示す。
【００１６】
図２は、実施形態１に係るエンブレム１０の断面図である。
【００１７】
本実施形態１において、エンブレム１０は、優れた光学特性を有する射出透明材料により形成可能な透明フロントカバー２２を備える。
【００１８】
前記前方透明カバー２２は、その上に、印刷により、或いは、上乗せ射出成形やホットスタンピングといった他の好適な加飾方法により１以上のパッド２６を備えることができ、また、図２に示すようにその内側面にギザギザや凹部を備えることもできる。
【００１９】
本発明に係るエンブレム１０はまた、好ましくは光を散乱させる光拡散材を射出してなる中間基板１８や、好ましくは、メタリックな外観を有する低導電性元素を用いて、ＰＶＤマグネトロンスパッタリングにより被着される、半金属或いは合金からなる装飾層２０を備える。
【００２０】
装飾層２０の厚さは、光が一部反射されて一部が透過するが、メタリックな外観が昼光条件において鮮明に見える厚さである。
【００２１】
中間基板１８はまた、一方の面に、透明フロントカバー２２のギザギザや凹部に対応するギザギザや凹部を備えることもできる。
【００２２】
エンブレム１０はまた、好ましくは、光学特性に優れ、基板１８の上面を覆うよう射出された射出透明材料からなる後方透明カバー２４を備える。
【００２３】
この後方透明カバー２４はまた、好ましくは、例えば、ＰＶＤマグネトロンスパッタリング、或いは白色系の反射塗料の塗布による、反射性コーティングを遠位表面上に備える。
【００２４】
本発明に係るエンブレム１０はまた、後方透明カバー２４に連結することが可能で、１以上の発光ダイオード、或いは強度および色合いの点から適切な他の光源から構成することが可能な、光源１１を備える。
【００２５】
本実施例において、装飾層２０は半透明であるため、図２において矢印で示されるように、光源１１からの光の一部はこの装飾層２０を通過できる。
【００２６】
本実施例に係るエンブレムは、前面或いは前後表面にトップコートをも備えることができる点、また、透明フロントカバーの装飾品（例えば、前述した１以上のパッド２６）および基板１８の装飾品（前述した装飾層２０）が間隙なく配置されている点に注目しなければならない。図２において矢印で示されるように、光の一部は反射され、一部は透過して、照明は装飾コーティング２０を通して可視となる。
【００２７】
図３は、本発明に係るエンブレム１１の実施形態２を示す。
【００２８】
本実施例においては、記載を明確にするため、同一或いは同等の要素の特定には同一の参照符号を用いる。また、記載を簡単にするため、実施態様１との相違点のみを記述する。
【００２９】
前述の実施態様１との主たる相違は、装飾層２０が不透明で、光を後方透明カバー２４の反射性コーティング２５に向けて反射し返す点である。
【００３０】
このために、透明フロントカバー２２の装飾品（例えば、前述した少なくとも１つのパッド２６）および基板１８の装飾品（前述した装飾層２０）は連接せず、両者間には、例えば、識別可能なブランドロゴの形状に沿って間隙が存在する。
【００３１】
その結果、照明は、装飾層２０とパッド２６の間に存在する間隙を通して、可視となる。
【００３２】
本発明については種々の実施態様が可能であり、ここに示された例示的な実施態様においては発明の精神から逸脱しない種々の変更ができるので、ここに記載され、また添付の図面に示された一切は、例示的なもので限定的な意味はないものとして解釈されると理解すべきである。
【図１】
2019048619.tif 000003
【図２】
2019048619.tif 000004
【図３】
2019048619.tif 000005
【外国語明細書】
2019048619000001.pdf